(57)【要約】【課題】センサからの情報をより有効的に活用する圃場情報取得装置及び圃場サーバを提供する。【解決手段】圃場Ｈに関する情報である圃場情報を蓄積する圃場サーバ５に対して通信ネットワーク３を介して接続された圃場情報取得装置１は、風に関する情報、大気に関する情報、土壌に関する情報等の圃場情報を検出する湿温度センサ１２、生体電位センサ１３、ＥＣセンサ１４、照度センサ１５等のセンサと、センサが検出した圃場情報を圃場サーバ５に送信する通信部２２と、を備える。【選択図】図１
2009232777.tif 000002
【特許請求の範囲】
【請求項１】
圃場に関する情報である圃場情報を蓄積する圃場サーバに対して通信ネットワークを介して接続された圃場情報取得装置であって、
前記圃場情報を検出する検出部と、
前記検出部が検出した前記圃場情報を前記圃場サーバに送信する通信部と、
を備える圃場情報取得装置。
【請求項２】
請求項１に記載の圃場情報取得装置において、
前記圃場を撮影する撮影部を備え、
前記通信部は、前記撮影部により撮影された前記圃場の画像を前記圃場サーバに送信すること、
を特徴とする圃場情報取得装置。
【請求項３】
請求項１又は２に記載の圃場情報取得装置において、
土壌に埋み込み可能な脚部と、
前記脚部による自立を補助する折り畳み可能な補助脚部と、
を備えること、
を特徴とする圃場情報取得装置。
【請求項４】
請求項１から３のいずれか１項に記載の圃場情報取得装置において、
前記検出部は、前記圃場情報として風に関する情報、大気に関する情報、土壌に関する情報のうち少なくとも１つを検出すること、
を特徴とする圃場情報取得装置。
【請求項５】
請求項１から４のいずれか１項に記載の圃場情報取得装置において、
所定の間隔で電源部から供給される電力により、前記検出部が前記圃場情報を検出するように制御する制御部を備えること、
を特徴とする圃場情報取得装置。
【請求項６】
請求項５に記載の圃場情報取得装置において、
前記電源部に電力を供給する太陽光パネル部を有すること、
を特徴とする圃場情報取得装置。
【請求項７】
請求項１から６のいずれか１項に記載の圃場情報取得装置の各々から前記圃場情報を受信する圃場情報受信部と、
前記圃場情報受信部により受信した圃場情報を蓄積して記憶する蓄積記憶部と、
前記通信ネットワークを介して接続された端末から、前記圃場情報に関する照会情報を受信する端末受信部と、
前記端末受信部により受信した照会情報に基づき、前記蓄積記憶部から前記圃場情報を抽出して、前記端末に表示可能な表示データを編集する編集部と、
前記編集部により編集した前記表示データを、前記端末に送信する端末送信部と、
を備えること、
を特徴とする圃場サーバ。
【請求項８】
請求項７に記載の圃場サーバにおいて、
前記端末受信部は、前記圃場情報に関する監視対象の指定情報を受信し、
前記蓄積記憶部に記憶された前記圃場情報が、前記端末受信部が受信した前記指定情報の範囲内か否かを監視する監視部を備え、
前記端末送信部は、前記監視部による監視結果に応じて、監視結果データを送信すること、
を特徴とする圃場サーバ。
【請求項９】
請求項７又は８に記載の圃場サーバにおいて、
前記圃場情報取得装置ごとかつ前記圃場情報ごとに補正値を記憶する補正値記憶部を備え、
前記蓄積記憶部は、前記圃場情報受信部により受信した圃場情報に対応する、前記補正値記憶部に記憶された補正値を用いて前記圃場情報を補正して、補正後の圃場情報を記憶すること、
を特徴とする圃場サーバ。
【請求項１０】
請求項７から９のいずれか１項に記載の圃場サーバにおいて、
前記圃場情報受信部は、前記圃場情報取得装置から前記圃場の画像を受信し、
前記蓄積記憶部は、前記圃場情報受信部により受信した前記圃場の画像を記憶すること、
を特徴とする圃場サーバ。
【発明の詳細な説明】
【技術分野】
【０００１】
本発明は、圃場に関する情報である圃場情報を取得する圃場情報取得装置及び圃場サーバに関する。
【背景技術】
【０００２】
従来、ＩＴ（情報技術）の発展が目ざましく、様々な分野においてＩＴを用いた取り組みがなされている。このＩＴ化の波は、農業の分野にも波及している。例えば、圃場での細胞組織の破壊を回避する手段と、病気又は土壌汚染の減少を図る手段と、細胞組織の破壊を回避する手段と、細胞組織の破壊の回避・防虫と、正常な状態の確保を図る手段を選択し、ファンの送風を図る構成とした送風装置のファンによる送風の効率化及び／又は生育環境の確保を図るための選択的な送風方法が提案されている（例えば、特許文献１）。
【特許文献１】特開２００８−５７３８号公報
【発明の開示】
【発明が解決しようとする課題】
【０００３】
しかし、特許文献１に記載の方法は、送風装置にセンサを設け、そのセンサからの情報を受けてファンによる送風を行うものであった。よって、ファンによる送風以外で生育環境の確保を図ることができなかった。そのため、センサからの情報を有効活用する点において、十分なものではなかった。
【０００４】
そこで、本発明は、センサからの情報をより有効的に活用する圃場情報取得装置及び圃場サーバを提供することを目的とする。
【課題を解決するための手段】
【０００５】
本発明は、以下のような解決手段により、前記課題を解決する。なお、理解を容易にするために、本発明の実施形態に対応する符号を付して説明するが、これに限定されるものではない。
【０００６】
請求項１の発明は、圃場（Ｈ）に関する情報である圃場情報を蓄積する圃場サーバ（５）に対して通信ネットワーク（３）を介して接続された圃場情報取得装置（１）であって、前記圃場情報を検出する検出部（１２〜１５）と、前記検出部が検出した前記圃場情報を前記圃場サーバに送信する通信部（２２）と、を備える圃場情報取得装置である。
請求項２の発明は、請求項１に記載の圃場情報取得装置（１）において、前記圃場（Ｈ）を撮影する撮影部（１６）を備え、前記通信部（２２）は、前記撮影部により撮影された前記圃場の画像を前記圃場サーバ（５）に送信すること、を特徴とする圃場情報取得装置である。
請求項３の発明は、請求項１又は２に記載の圃場情報取得装置（１）において、土壌に埋み込み可能な脚部（１１）と、前記脚部による自立を補助する折り畳み可能な補助脚部（１７）と、を備えること、を特徴とする圃場情報取得装置である。
請求項４の発明は、請求項１から３のいずれか１項に記載の圃場情報取得装置（１）において、前記検出部（１２〜１５）は、前記圃場情報として風に関する情報、大気に関する情報、土壌に関する情報のうち少なくとも１つを検出すること、を特徴とする圃場情報取得装置である。
請求項５の発明は、請求項１から４のいずれか１項に記載の圃場情報取得装置（１）において、所定の間隔で電源部（２３）から供給される電力により、前記検出部（１２〜１５）が前記圃場情報を検出するように制御する制御部（２５）を備えること、を特徴とする圃場情報取得装置である。
請求項６の発明は、請求項５に記載の圃場情報取得装置（１）において、前記電源部（２３）に電力を供給する太陽光パネル部（２４）を有すること、を特徴とする圃場情報取得装置である。
【０００７】
請求項７の発明は、請求項１から６のいずれか１項に記載の圃場情報取得装置（１）の各々から前記圃場情報を受信する圃場情報受信部（３８）と、前記圃場情報受信部により受信した圃場情報を蓄積して記憶する蓄積記憶部（３５）と、前記通信ネットワーク（３）を介して接続された端末（７）から、前記圃場情報に関する照会情報を受信する端末受信部（３９）と、前記端末受信部により受信した照会情報に基づき、前記蓄積記憶部から前記圃場情報を抽出して、前記端末に表示可能な表示データを編集する編集部（３２）と、前記編集部により編集した前記表示データを、前記端末に送信する端末送信部（４１）と、を備えること、を特徴とする圃場サーバ（５）である。
請求項８の発明は、請求項７に記載の圃場サーバ（５）において、前記端末受信部（３９）は、前記圃場情報に関する監視対象の指定情報を受信し、前記蓄積記憶部（３５）に記憶された前記圃場情報が、前記端末受信部が受信した前記指定情報の範囲内か否かを監視する監視部（３３）を備え、前記端末送信部（４１）は、前記監視部による監視結果に応じて、監視結果データを送信すること、を特徴とする圃場サーバである。
請求項９の発明は、請求項７又は８に記載の圃場サーバ（５）において、前記圃場情報取得装置（１）ごとかつ前記圃場情報ごとに補正値を記憶する補正値記憶部（３６）を備え、前記蓄積記憶部（３５）は、前記圃場情報受信部（３８）により受信した圃場情報に対応する、前記補正値記憶部に記憶された補正値を用いて前記圃場情報を補正して、補正後の圃場情報を記憶すること、を特徴とする圃場サーバである。
請求項１０の発明は、請求項７から９のいずれか１項に記載の圃場サーバ（５）において、前記圃場情報受信部（３８）は、前記圃場情報取得装置（１）から前記圃場（Ｈ）の画像を受信し、前記蓄積記憶部（３５）は、前記圃場情報受信部により受信した前記圃場の画像を記憶すること、を特徴とする圃場サーバである。
なお、符号を付して説明した構成は、適宜改良してもよく、また、少なくとも一部を他の構成物に代替してもよい。
【発明の効果】
【０００８】
本発明によれば、以下の効果を奏することができる。
（１）本発明は、圃場に関する情報である圃場情報を検出して圃場サーバに送信する。よって、圃場情報取得装置で土壌の湿度や地温等の農業に必要な圃場情報を取得し、圃場サーバでその圃場情報を受信して記憶することができる。そして、記憶された圃場情報を作物の生育等に役立てることができる。
【０００９】
（２）本発明は、撮影部により圃場を撮影して圃場サーバに送信する。よって、圃場の状況を撮影部により撮影することができる。また、圃場の画像を圃場サーバが受信して記憶することができる。そして、記憶された圃場の画像を監視等に用いることができる。
【００１０】
（３）本発明は、脚部とその脚部による自立を補助する折り畳み可能な補助脚部とを備えるので、圃場に立てて設置することができる。よって、場所をとらず、また本体部分が直接圃場の土壌に設置されないので本体部分の腐食等を防ぐことができる。また、補助脚部で脚部の自立を補助するので、風や雨に対する耐久性に優れたものとなる。
【００１１】
（４）本発明は、検出部が、前記圃場情報として風に関する情報、大気に関する情報、土壌に関する情報のうち少なくとも１つを検出するので、検出部により農業に必要な情報を検出することができる。
【００１２】
（５）本発明は、所定の間隔で供給される電力により検出するので、供給された電力を使って検出を行えるので、無駄な電力使用を防ぎ、使用電力を抑えることができる。
【００１３】
（６）本発明は、電力を供給する太陽光パネル部を有するので、他の電力を供給するための導線等を設置することなく、簡易に電力を供給することができる。
【００１４】
（７）本発明は、圃場情報を蓄積し、端末からの照会に対して蓄積された圃場情報から表示データを編集して端末に送信する。よって、蓄積した圃場情報を端末に提供することができる。そして、端末のユーザは、圃場情報を用いて農業活動への活用を図ることができる。
【００１５】
（８）本発明は、圃場情報が監視対象の指定情報の範囲内か否かを監視して、監視結果に応じて、監視結果データを端末に送信する。よって、端末のユーザに圃場状況を通知することができる。
【００１６】
（９）本発明は、圃場情報取得装置ごとかつ圃場情報ごとに補正値を有し、受信した圃場情報に対して補正して圃場情報を記憶する。よって、一元的に補正した適正な圃場情報を記憶することができる。
【００１７】
（１０）本発明は、圃場の画像を受信して記憶する。よって、端末のユーザは、適宜圃場の画像を参照することができる。
【発明を実施するための最良の形態】
【００１８】
（実施形態）
以下、本発明を実施するための最良の形態について図を参照しながら説明する。なお、これはあくまでも一例であって、本発明の技術的範囲はこれに限られるものではない。
図１は、本実施形態に係る圃場システム１００の概要説明を示す図である。
図１に示すように、圃場システム１００は、畑等の圃場Ｈに設置された圃場情報取得装置１が通信ネットワーク３を介して圃場サーバ５に接続されている。また、通信ネットワーク３には、ＰＣ（Ｐｅｒｓｏｎａｌ  ｃｏｍｐｕｔｅｒ）や、携帯電話機等の端末７が接続されている。
【００１９】
圃場情報取得装置１は、例えば、畑等の圃場Ｈの縁部に設置される。矩形の圃場Ｈに関して、図１に示すように対角線上の縁部に２台の圃場情報取得装置１を設置する。圃場情報取得装置１からの圃場情報等のデータは、例えば、無線により通信ネットワーク３を介して圃場サーバ５に送信される。
通信ネットワーク３は、例えば、インターネット回線を示す。
圃場サーバ５は、圃場情報取得装置１から送信された圃場情報等のデータを受信して蓄積する。また、端末７からの要求に応じて、蓄積されたデータから必要な情報を抽出し、端末７に表示する。
端末７は、圃場Ｈで作物等を生育するユーザにより操作される。ユーザは、端末７を用いて圃場情報を参照しながら、圃場Ｈの適切な状態を保持して農作物の生育を行うことができる。
【００２０】
次に、圃場情報取得装置１の外観構成について説明する。
図２は、本実施形態に係る圃場情報取得装置１の外観を示す図である。
圃場情報取得装置１は、制御回路等を格納した本体部１０と、本体部１０の下側に本体部１０を支えるように接合され、圃場Ｈの土壌に下方を埋めて直立させる脚部１１と、その他の部品とから構成される。その他の部品とは、本体部１０に接続され、圃場Ｈの土壌に差込み可能な湿温度センサ１２、本体部１０に接続され、農作物等の養分等を測定可能な生体電位センサ１３、圃場Ｈを広域的に計測するＥＣ（電気導電率）センサ１４、本体部１０の上面に備えた照度センサ１５の各センサ（検出部）と、本体部１０に接続され圃場を撮影するカメラ１６（撮影部）と、脚部１１を支える折り畳み可能な補助脚部１７とをいう。
なお、脚部１１による自立を補助する折り畳み可能な補助脚部１７を備えるので、圃場Ｈに立てて設置することができる。
【００２１】
湿温度センサ１２は、圃場Ｈの空中にある場合には、大気湿度や温度を計測し、圃場Ｈの地中にある場合には、地湿や地温を計測する。生体電位センサ１３は、プラスとマイナスの電極を農作物に挿すことで、電位差により養分の動きを計測する。ＥＣセンサ１４は、主に地中の窒素成分の濃度を計測する。照度センサ１５は、明るさと日照時間とを計測する。
なお、カメラ１６は、本体部１０から外付けに設置することで、ユーザの様々なニーズに対応することができる。例えば、農作物を撮影して害虫を監視したり、圃場Ｈの全体を撮影して農作業をする者を監視したりすることができる。
【００２２】
次に、図３に基づき圃場情報取得装置１のブロック図について説明する。
圃場情報取得装置１の本体部１０には、制御回路２０及び電源回路２１からなる回路部２５（制御部）と、通信部２２と、電源部２３とを有する。電源部２３は、例えば、本体部１０の上面に、照度センサ１５と共に設けられたソーラーパネル２４（太陽光パネル部）から電力が供給される。そして、電源部２３が、供給された電力を用いて、電源回路２１に信号を送信することで、電源回路２１から制御回路２０に信号が送信され、制御回路２０が本体部１０での各種の動作が行えるように制御する。
このように、圃場情報取得装置１は、必要電力をソーラーパネル２４により電力を供給するので、他の設備を用意することなく、簡易に電力を供給することができる。
【００２３】
制御回路２０は、ＣＰＵ（中央処理装置）とメモリとを含み、各種のセンサ（湿温度センサ１２から照度センサ１５の各センサ）と、カメラ１６とを制御する。図２で説明したセンサ以外に、例えば、土壌の酸性度やアルカリ度を計測するＰＨ（ペーハー）センサ、風速・風向センサ、土壌水分センサ等、種々のものを制御できる。制御回路２０は、その内部のメモリに記憶された各種プログラムを適宜読み出して実行することにより、上述したハードウェアと協働し、本発明に係る各種機能を実現している。
通信部２２は、位置情報と、測定データとを送信するインタフェースであり、例えば、無線や電波により通信する。
なお、制御回路２０は、時間を計測するタイマや、種々の設定を行う入力部等を備えてもよい。
【００２４】
次に、圃場情報取得装置１の処理について図４のフローチャートに基づき説明する。
圃場情報取得装置１での処理とは、圃場情報を定期的に取得して、圃場サーバ５に送信するものをいう。以下の処理は、圃場情報取得装置１の制御回路２０を用いて制御されるものとして説明する。
まず、ステップＳ１１では、例えば、タイマ（図示せず）等を用いることで、所定の時間が経過したか否かを判断する。所定の時間とは、例えば、１０分であり、予めユーザが任意に設定可能である。所定の時間が経過した場合（ステップＳ１１：ＹＥＳ）には、処理をステップＳ１２に移す。所定の時間が経過していない場合（ステップＳ１１：ＮＯ）には、所定の時間が経過するのを待つ。
ステップＳ１２では、電力をセンサ等に供給する。具体的には、制御回路２０から各種のセンサ（湿温度センサ１２から照度センサ１５）を検出可能とし、カメラ１６を駆動可能とする。
【００２５】
次に、ステップＳ１３では、各種のセンサ（湿温度センサ１２から照度センサ１５）から圃場情報を検出する。ここで、圃場情報とは、圃場Ｈの大気温度や湿度（大気に関する情報）、風速や風向（風に関する情報）、圃場Ｈの地中の温度や湿度、窒素濃度（土壌に関する情報）等の圃場に関する情報をいう。ステップＳ１４では、カメラ１６により圃場を撮影し、画像を得る。ここで、カメラ１６は、定期的に向きを変更しても、端末７によるリモートでの操作により向きを変更できるものとしても、固定でもよい。
ステップＳ１５では、圃場サーバ５に、ステップＳ１３で検出した圃場情報及びステップＳ１４で取得した画像を送信する。送信する際には、例えば、送信データのヘッダ部に圃場情報取得装置１を特定する装置名及びデータを検出した日時を付加して、送信元の情報が分かるように送信する。ステップＳ１６では、送信が終了したか否かを判断する。送信が終了した場合（ステップＳ１６：ＹＥＳ）には、ステップＳ１７にてセンサ等への電力の供給を終了し、各種のセンサを検出不可の状態とし、カメラ１６を撮影不可の状態とする。送信が終了していない場合（ステップＳ１６：ＮＯ）には、送信が終了するまで送信処理を行う。
【００２６】
このようにすることで、圃場システム１００は、圃場Ｈに設置された圃場情報取得装置１を用いて圃場情報を取得して、圃場サーバ５に送信することができる。また、所定の時間ごとに圃場情報を検出するので、圃場サーバ５では、定期的に圃場情報を収集することができる。同様に、圃場Ｈの画像を定期的に収集できる。また、所定の時間以外は電力を供給しないので、制御系統を除き休止状態とすることで使用電力を抑えることができる。
なお、この例では、撮影も定期的に行うものであるが、これに限らず、撮影はユーザの操作に応じて継続的に行い、圃場サーバ５に画像を送信してもよい。そのようにすることで、圃場Ｈでの作物や労働者の監視効果をより高めることができる。
【００２７】
次に、圃場サーバ５について説明する。
図５は、本実施形態に係る圃場サーバ５の機能構成を示す図である。
図６は、本実施形態に係る蓄積記憶部３５及び補正値記憶部３６の例を示す図である。
まず、図５において、圃場サーバ５は、制御部３１、記憶部３４、受信部３７及び送信部４０が、バス３０を介して接続されている。
制御部３１は、圃場サーバ５全体の制御を行うものであり、ＣＰＵを含み、編集部３２及び監視部３３を有する。編集部３２及び監視部３３の説明は、後述する。
記憶部３４は、圃場サーバ５の処理で必要なデータを記憶するものであり、蓄積記憶部３５及び補正値記憶部３６を有する。
【００２８】
ここで、図６に基づき、蓄積記憶部３５及び補正値記憶部３６について説明する。
図６（ａ）は、蓄積記憶部３５の記憶情報を示す。蓄積記憶部３５は、装置名３５Ａ、取得日時３５Ｂの基本情報と、風速３５Ｃ、風向３５Ｄ、大気温度３５Ｅ、地温３５Ｆ、ＰＨ３５Ｇの圃場情報と、画像３５Ｈの画像情報とを有する。装置名３５Ａには、圃場情報取得装置１を一意に特定する名前を格納する。取得日時３５Ｂには、圃場情報や画像情報を取得した日時を格納する。基本情報は、どちらも圃場情報取得装置１から受信したデータに基づき格納できる。風速３５Ｃ、風向３５Ｄには、該当の圃場Ｈの風速及び風向であって、例えば、風速・風向センサ（図示せず）により検出した情報を格納する。大気温度３５Ｅには、該当の圃場Ｈの温度であり、地温３５Ｆには、該当の圃場Ｈの土壌の温度であって、例えば、湿温度センサ１２（図２参照）で検出した情報を格納する。ＰＨ３５Ｇには、該当の圃場Ｈの土壌のＰＨであって、例えば、ＰＨセンサ（図示せず）で検出した情報を格納する。ここで、風速３５ＣからＰＨ３５Ｇまでの各情報は、農業に必要な情報であり、次に説明する補正値による補正を行った後の、補正後の情報を格納する。画像３５Ｈは、圃場Ｈの画像であって、圃場情報取得装置１に接続されたカメラ１６（図２参照）によって撮影された画像を格納する。画像は、静止画であっても動画でもよい。
【００２９】
次に図６（ｂ）は補正値記憶部３６の記憶情報を示す。補正値記憶部３６は、圃場情報取得装置１ごとの圃場情報の各補正値を格納するものであり、例えば、装置名３６Ａ、設置場所３６Ｂ、及び補正値（ＰＨ）３６Ｃを格納する。装置名３６Ａには、図６（ａ）の装置名３５Ａと同様、圃場情報取得装置１を一意に特定する名前を格納する。設置場所３６Ｂには、圃場情報取得装置１の設置場所を特定できる情報を格納する。補正値（ＰＨ）３６Ｃには、ＰＨに関する補正値、つまり、図６（ａ）の蓄積記憶部３５のＰＨ３５Ｇに対応する補正値を格納する。
【００３０】
例えば、図６（ａ）蓄積記憶部３５のとあるデータ（図中（１））につき、図６（ｂ）の補正値記憶部３６のデータを適用した場合を考える。その際、蓄積記憶部３５の装置名３５Ａと同一の装置名３６Ａである補正値記憶部３６のデータ（図中（２））を抽出する。そこから、さらに補正値（ＰＨ）３６Ｃを抽出すると、「−０．２」である。ＰＨ３５Ｇが「７．２」であり、元の圃場情報取得装置１から受信した際のＰＨは、「−０．２」を減算した「７．４」であったことが分かる。
【００３１】
図５に戻って、制御部３１は、記憶部３４に記憶された各種プログラムを適宜読み出して実行することにより、上述したハードウェアと協働し、本発明に係る各種機能を実現している。
受信部３７は、通信ネットワーク３を介して外部からデータを受信するインタフェースであり、圃場情報取得装置１からデータを受信する圃場情報受信部３８や、端末７からデータを受信する端末受信部３９を有する。
送信部４０は、通信ネットワーク３を介して外部へデータを送信するためのインタフェースであり、端末７へデータを送信する端末送信部４１を有する。
【００３２】
次に、図４で圃場情報取得装置１から送信された圃場情報等に対する圃場サーバ５の処理について、図７のフローチャートに基づき説明する。
まず、ステップＳ２１では、制御部３１は、圃場情報取得装置１から送信された圃場情報及びカメラ１６により撮影された圃場Ｈの画像を、圃場情報受信部３８を介して受信する。
次に、ステップＳ２２では、上述したように、制御部３１は、受信した圃場情報に基づき、補正値記憶部３６から該当の装置の該当の圃場情報の補正値を抽出する（図６（ｂ）参照）。
【００３３】
そして、ステップＳ２３では、制御部３１は、受信した圃場情報に抽出した補正値を用いて補正を行う。
最後に、ステップＳ２４では、制御部３１は、補正後の圃場情報及び圃場Ｈの画像を、蓄積記憶部３５に蓄積して記憶する。上述した図６（ａ）の蓄積記憶部３５に、新たな情報を追加更新することで、蓄積記憶部３５に圃場情報及び圃場Ｈの画像を蓄積して記憶することができる。
【００３４】
次に、端末７から受信した情報に対する圃場サーバ５の処理について説明する。
図８は、本実施形態に係る圃場サーバ５でのフローチャートである。
図９は、本実施形態に係る端末７での画面例を示す。
まず、図８において、ステップＳ３１では、制御部３１は、端末受信部３９を介して情報を受信する。次に、ステップＳ３２では、制御部３１は、受信した情報が照会情報であるか否かを判断する。照会情報とは、端末７から送信された、圃場情報を取得して端末７の画面に表示させるための要求情報をいう。受信した情報が照会情報である場合（ステップＳ３２：ＹＥＳ）には、制御部３１は、処理をステップＳ３３に移す。ステップＳ３３では、制御部３１（編集部３２）は、照会情報に基づき画面表示データを作成し、ステップＳ３４では、制御部３１は、編集した作成した画面表示データを、端末送信部４１を介して端末７に送信する。そして、制御部３１は、本処理を終了する。他方、受信した情報が照会情報ではない場合（ステップＳ３２：ＮＯ）には、制御部３１は、処理をステップＳ３５に移す。
【００３５】
ここで、図９は、端末７に送信された画面表示データに基づき端末７で表示する画面例である。照会した圃場Ｈの情報が、照会画面５０として端末７のディスプレイに表示される。照会画面５０の左上には、照会対象の圃場名が表示される。圃場名の下側で照会画面５０の左側には、グラフ部５１が表示される。端末７のマウス等の入力操作により、タブ部５２を選択することで、各種のセンサで取得した圃場情報が切り替わってグラフ表示される。別画面で栽培記録等を入力することで、グラフ５３上に記録５４を表示することもできる。また、照会画面５０の右上部には、後述する指定情報の設定が行える指定設定部５５が、右下部には、他のＷｅｂサイトの情報が表示できる他情報部５６が、それぞれ表示される。
【００３６】
図８に戻って、ステップＳ３５では、制御部３１は、受信した情報が指定情報であるか否かを判断する。指定情報とは、「キュウリ」等の作物に関する情報や、「風速」等のセンサの情報等をいう。受信した情報が指定情報である場合（ステップＳ３５：ＹＥＳ）には、制御部３１は、処理をステップＳ３６に移す。他方、受信した情報が指定情報ではない場合（ステップＳ３５：ＮＯ）には、制御部３１は、本処理を終了する。
再度、図９をもとに、指定情報の設定について説明する。照会画面５０の指定設定部５５には、この例では、作物を設定できるリスト部５７が表示されている。ここで、所定の作物を設定することで、例えば、次画面等により、最適なＰＨ値の範囲の設定、監視対象の期間等の設定ができる。そして、監視対象の期間内に、設定した範囲を超えると、警告データが端末７のユーザに送信されるように指定することができる。
【００３７】
図８に戻って、ステップＳ３６では、制御部３１は、指定情報の条件が解消されたか否かを判断する。指定情報の条件が解消されるとは、例えば、監視対象の期間ではなくなった場合等をいう。条件が解消された場合（ステップＳ３６：ＹＥＳ）には、制御部３１は、本処理を終了する。他方、条件が解消されていない場合（ステップＳ３６：ＮＯ）には、制御部３１は、処理をステップＳ３７に移す。
ステップＳ３７では、制御部３１（監視部３３）は、蓄積記憶部３５に記憶された所定のデータが、指定情報の所定の範囲内であるか否かを判断する。例えば、指定設定部５５（図９）で作物を「キュウリ」に設定し、キュウリの適正ＰＨが「５．８〜６．８」である場合を例にすると、蓄積記憶部３５に記録された所定の圃場情報取得装置１のＰＨ３５Ｇが、適正ＰＨの範囲内か否かを判断する。指定情報の範囲内である場合（ステップＳ３７：ＹＥＳ）には、制御部３１は、処理をステップＳ３６に移す。他方、指定情報の範囲内ではない場合（ステップＳ３７：ＮＯ）には、制御部３１は、処理をステップＳ３８に移し、監視部３３は、警告データを、端末送信部４１を介して指定情報を指定した端末７に送信する。警告データの送信方法は、例えば、電子メールによる。その後、制御部３１は、処理をステップＳ３６に移す。
【００３８】
このようにすることで、端末７においていつでも圃場情報を参照できるので、ユーザは、圃場管理が行い易くなる。また、指定情報の指定をしておけば、指定範囲の対象外となった場合には、警告データが端末７に送信されるので、警告データを受信したユーザは、警告データに基づき、肥料等により圃場Ｈの土壌を変えることができる。例えば、上述の「キュウリ」の例では、土壌が酸性になった場合には、ユーザが石灰を撒くことで、適正なＰＨを保持することができる。よって、勘に頼っていた作物の育成にＩＴを用いて、効率化を図ることができる。
【００３９】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００４０】
（変形形態）
（１）本実施形態では、センサについて複数の種類のセンサを例示して説明した。しかし、これに限らず、広域ＥＣセンサ等の他のセンサを用いてもよい。特に、広域ＥＣセンサを用いた場合には、矩形の圃場の対角線上の縁部に、圃場情報取得装置を２台配置することで、圃場一面の状態を計測することができる。
（２）本実施形態では、圃場情報取得装置がタイマを有し、１０分ごとに圃場情報を取得するものであった。しかし、これに限らず、圃場情報取得装置がタイマを有さずに、圃場サーバ側から所定の時間が経過するごとに圃場情報を取得するものであってもよい。そうすることで、圃場情報取得装置をより簡易な装置とすることができる。
（３）本実施形態では、外付けカメラを用いるものであった。しかし、これに限らず、本体部に内蔵型のカメラでもよい。
（４）本実施形態では、端末に表示される照会画面には他情報部として天気予報が表示されたものを例に説明した。しかし、これに限らず、圃場サーバに有する他のデータを表示してもよい。また、通信ネットワークを介して接続された他のサーバ等に記憶された種々のデータを適宜表示してもよい。
【図面の簡単な説明】
【００４１】
【図１】本実施形態に係る圃場システムの概要説明を示す図である。
【図２】本実施形態に係る圃場情報取得装置の外観を示す図である。
【図３】本実施形態に係る圃場情報取得装置のブロックを示す図である。
【図４】本実施形態に係る圃場情報取得装置１のフローチャートである。
【図５】本実施形態に係る圃場サーバの機能構成を示す図である。
【図６】本実施形態に係る蓄積記憶部及び補正値記憶部の例を示す図である。
【図７】本実施形態に係る圃場サーバのフローチャートである。
【図８】本実施形態に係る圃場サーバのフローチャートである。
【図９】本実施形態に係る端末での画面例を示す図である。
【符号の説明】
【００４２】
１  圃場情報取得装置
５  圃場サーバ
７  端末
１０  本体部
１１  脚部
１２  湿温度センサ
１３  生体電位センサ
１４  ＥＣセンサ
１５  照度センサ
１６  カメラ
１７  補助脚部
２０  制御回路
２１  電源回路
２２  通信部
２３  電源部
２４  ソーラーパネル
２５  回路部
３１  制御部
３２  編集部
３３  監視部
３４  記憶部
３５  蓄積記憶部
３６  補正値記憶部
３７  受信部
３８  圃場情報受信部
３９  端末受信部
４０  送信部
４１  端末送信部
１００  圃場システム
Ｈ  圃場
【図１】
2009232777.tif 000003
【図２】
2009232777.tif 000004
【図３】
2009232777.tif 000005
【図４】
2009232777.tif 000006
【図５】
2009232777.tif 000007
【図６】
2009232777.tif 000008
【図７】
2009232777.tif 000009
【図８】
2009232777.tif 000010
【図９】
2009232777.tif 000011